(57)【要約】【課題】直射日光が当たる屋内の窓際や屋外で使用されることを想定し、そうした過酷な高温環境においても安心して使用することを可能とする液晶表示部を備えた表示装置の提供を図ることを目的とする。【解決手段】表示装置１は、その表面を視認者に指向させる状態とし、例えば屋内または屋外に設置可能とされる。表示装置１は店先や窓際等において設置して使用することが可能とされ、キャスター２を下面に備えた基台３上にポール４を立設し、その上端部に取着して形成してなる。すなわち表示装置１は、基台３の下面のキャスター２により、路面や床面上を移動可能とされ、例えば店先や道路に対して設置することが可能とされる。表示装置１は、その前面側において上方に液晶表示部６を、下方にＬＥＤ表示部７を併設する状態で配設している。液晶表示部６は、映像または画像を表面に表示可能とし、一方ＬＥＤ表示部７は、複数個のＬＥＤ発光素子をマトリッス状に配列し、各ＬＥＤ発光素子を任意に点灯させることで表面に情報を表示可能としている。【選択図】図１
2010282109.tif 000002
【特許請求の範囲】
【請求項１】
映像または画像を表面に表示可能とする液晶表示部を面状からなる筐体の一面上に配設し、該一面を視認者に指向させる状態として屋内または屋外に設置可能とされる表示体と、
上記表示体の筐体には液晶表示部を冷却可能とする冷却ファンと、を具備してなる表示装置にあって、
上記表示体の筐体には、液晶表示部を配設する筐体内の温度を計測する温度センサーと、表示体に照射される光の照度を計測するフォトセンサーとが備えられ、
上記表示体の筐体内には、冷却ファンのＯＮ・ＯＦＦ駆動を制御する駆動制御部、液晶表示部を駆動させ、該液晶表示部に任意の映像または画像を表示可能とする駆動回路と、該駆動回路をＯＮ・ＯＦＦ可能とし、液晶表示部の作動をＯＮ・ＯＦＦ可能とする点灯制御部と、を具備するコントローラが備えられ、
さらに該コントローラには、
フォトセンサーが計測する照度を入力し、該入力される照度が一定レベル以上か否かを検出し、一定レベル以上の場合に上記冷却ファンの駆動制御部に対して冷却ファンをＯＮとするための信号を出力する照度検出部と、
温度センサーが計測する温度を入力し、該入力される温度が一定レベル以上か否かを検出し、一定レベル以上の場合に上記冷却ファンの駆動制御部に対して冷却ファンをＯＮとするための信号を出力する温度検出部と、
を備えることとしてなる表示装置。
【請求項２】
複数個のＬＥＤ発光素子を面状に配列し、各ＬＥＤ発光素子を任意に点灯させ、表面に情報を表示可能とするＬＥＤ表示部と、映像または画像を表面に表示可能とする液晶表示部と、を面状からなる筐体の一面上に併設し、該一面を視認者に指向させる状態として屋内または屋外に設置可能とされる表示体と、
上記表示体の筐体には、ＬＥＤ表示部および液晶表示部を冷却可能とする冷却ファンと、を具備してなる表示装置にあって、
上記表示体の筐体には、ＬＥＤ表示部および液晶表示部を併設する函体内の温度を計測する温度センサーと、表示体に照射される光の照度を計測するフォトセンサーとが備えられ、
上記表示体の筐体内には、冷却ファンのＯＮ・ＯＦＦ駆動を制御する駆動制御部、ＬＥＤ表示部および液晶表示部を駆動させ、ＬＥＤ表示部の各ＬＥＤ発光素子を任意に点灯させて表面に任意の情報を表示可能とし、あるいは液晶表示部に任意の映像または画像を表示可能とする駆動回路と、該駆動回路をＯＮ・ＯＦＦ可能とし、ＬＥＤ表示部あるいは液晶表示部の作動をＯＮ・ＯＦＦ可能とする点灯制御部と、を具備するコントローラが備えられ、
さらに該コントローラには、
フォトセンサーが計測する照度を入力し、該入力される照度が一定レベル以上か否かを検出し、一定レベル以上の場合に上記冷却ファンの駆動制御部に対して冷却ファンをＯＮとするための信号を出力する照度検出部と、
温度センサーが計測する温度を入力し、該入力される温度が一定レベル以上か否かを検出し、一定レベル以上の場合に上記冷却ファンの駆動制御部に対して冷却ファンをＯＮとするための信号を出力する温度検出部と、
を備えることとしてなる表示装置。
【請求項３】
上記コントローラの温度検出部は、温度センサーが計測する温度を入力し、該入力される温度が一定レベル以下か否かを検出し、一定レベル以下の場合に上記冷却ファンの駆動制御部に対して冷却ファンをＯＦＦとするための信号を出力することとしてなる請求項１または請求項２のいずれかに記載の表示装置。
【請求項４】
上記コントローラの温度検出部は、温度センサーが計測する温度を入力し、該入力される温度が一定レベル以上か否かを検出し、一定レベル以上の場合に上記点灯制御部に対して駆動回路をＯＦＦとし、液晶表示部の作動をＯＦＦとするための信号を出力することとしてなる請求項１に記載の表示装置。
【請求項５】
上記コントローラの温度検出部は、温度センサーが計測する温度を入力し、該入力される温度が一定レベル以上か否かを検出し、一定レベル以上の場合に上記点灯制御部に対して駆動回路をＯＦＦとし、ＬＥＤ表示部および液晶表示部の作動をＯＦＦとするための信号を出力することとしてなる請求項２に記載の表示装置。
【請求項６】
上記コントローラにおける冷却ファンの駆動制御部は、上記照度検出部から冷却ファンをＯＮとするための信号を入力し、かつ入力後、タイマーが計測する一定時間経過内においては冷却ファンをＯＮとし、上記照度検出部から冷却ファンをＯＮとするための信号を入力し、かつ入力後、タイマーが計測する一定時間経過後においては冷却ファンをＯＦＦとする制御を実行することとしてなる請求項１ないし請求項５のいずれかに記載の表示装置。
【請求項７】
上記照度検出部において、フォトセンサーから入力し、該入力される照度が一定レベル以上か否かを検出し、一定レベル以上の場合に上記冷却ファンの駆動制御部に対して冷却ファンをＯＮとするための信号を出力する場合における一定レベルの値を、７０，０００ｌｘ以上のレベルの値とした請求項１または請求項２のいずれかに記載の表示装置。
【請求項８】
上記温度検出部において、温度センサーから入力し、該入力される温度が一定レベル以上か否かを検出し、一定レベル以上の場合に上記冷却ファンの駆動制御部に対して冷却ファンをＯＮとするための信号を出力する場合における一定レベルの値を、５０℃以下から室温の範囲における任意の値とした請求項１または請求項２のいずれかに記載の表示装置。
【請求項９】
上記温度検出部において、温度センサーから入力し、該入力される温度が一定レベル以下か否かを検出し、一定レベル以下の場合に上記冷却ファンの駆動制御部に対して冷却ファンをＯＦＦとするための信号を出力する場合における一定レベルの値を、４０℃以下から室温の範囲における任意の値とした請求項３に記載の表示装置。
【請求項１０】
上記温度検出部において、温度センサーから入力し、該入力される温度が一定レベル以上か否かを検出し、一定レベル以上の場合に上記点灯制御部に対して駆動回路をＯＦＦとし、液晶表示部の作動をＯＦＦとするための信号を出力する場合における一定レベルの値を、７０℃以下から室温の範囲における任意の値とした請求項４に記載の表示装置。
【請求項１１】
上記温度検出部において、温度センサーから入力し、該入力される温度が一定レベル以上か否かを検出し、一定レベル以上の場合に上記点灯制御部に対して駆動回路をＯＦＦとし、ＬＥＤ表示部および液晶表示部の作動をＯＦＦとするための信号を出力する場合における一定レベルの値を、７０℃以下から室温の範囲における任意の値とした請求項５に記載の表示装置。
【発明の詳細な説明】
【技術分野】
【０００１】
本発明は、表面に液晶表示部からなる表示体を備え、特に直射日光が当たる屋外や屋内の窓際等に設置するのに好適な表示装置に関する。
【背景技術】
【０００２】
従来、歩道に隣接する工事現場などにおいて、歩行者に対して注意喚起を行ったり、店舗前において店舗情報を歩行者に知らせるための手段として、電光表示される看板が用いられている。一般に用いられる電光表示される看板としては、複数個のＬＥＤ発光素子をマトリックス状に配列し、各ＬＥＤ発光素子を任意に点灯させ、表面に情報を表示可能とするＬＥＤ表示部を備えた表示装置が知られている。例えば下記特許文献１に係る表示装置は、長方形の面状からなる筐体の一面上に複数個のＬＥＤ発光素子をマトリックス状に配列したＬＥＤ表示部を備える表示体とし、該一面を視認者（例えば通行人）に指向させる状態とし、各ＬＥＤ発光素子を任意に点灯させることで、例えば店舗情報（商品価格情報、イベント情報等）や工事の際の注意喚起（頭上注意、ご迷惑をおかけします、などの注意喚起情報）を静的あるいは動的に変化させて表示するようにしていた。
【０００３】
ところで、こうしたＬＥＤ表示部を備えた表示装置にあっては、その設置場所が屋内に止まらず、屋外（店舗の店先や工事現場など）とされるため、表示装置に対して直射日光が当たることとされる。こうした表示装置は、例えばアルミニウム板や合成樹脂製の筐体の内部にＬＥＤ基板，コントローラなどの電子部品を備えることとしているため、直射日光があたると内蔵される電子部品に悪影響が及ぼすほか、合成樹脂製の筐体が劣化したり、変形するなどの不具合が生じるものとされている。
【０００４】
このため、従来この種の表示装置においては、筐体の内部に温度センサーを備えた冷却ファンを備えることとし、温度センサーが一定以上の温度状態を感知した場合に冷却ファンを駆動させ、筐体内部のエアを排気して内蔵される電子部品が高温になることを防止したり、筐体自体が高温になることを防止していた。
【０００５】
ところで、出願人らは永年、上記のようにＬＥＤ表示部を備えた表示装置を開発・製造してきたメーカーとして、こうした表示装置において映像または画像を表面に表示可能とする薄型の液晶表示装置を採用できないかどうかの検討を行ってきたところである。その理由としては、液晶表示装置は例えば店舗の情報をより詳しく通行人等に知らせることができ、例えば飲食店などにおいて「本日のお勧め商品」、「料理風景」、「食材の提供場所」などの情報を画像や映像により、リアルタイムで詳細に通行人等に提供できるメリットが期待でき、集客力の向上や売上の増大に繋がることが可能となるためである。
【０００６】
ただ、液晶表示装置は、ＬＥＤ発光素子からなる表示装置に比べ、高温の環境に対してさらに弱いものとされ、専らその設置場所は、室内光しか当たることのない、屋内のしかも直射日光の当たらない場所とされていた。その理由として、ａ．液晶体はある温度以上になると液晶相が液化し、非表示になる，ｂ．液晶回路部品の破損による表示異常または非表示になる，ｃ．バックライトランプユニットの点灯寿命が短くなる，ｄ．液晶周辺の合成樹脂材料の変形、などの問題点があった。このため、下記特許文献２に示されるように、こうした液晶表示体を表面に備えることとした筐体に、温度センサーを備えた冷却ファンを内蔵させることとし、温度センサーが一定以上の温度状態を感知した場合に冷却ファンを駆動させ、筐体内部のエアを排気して内蔵される電子部品や液晶表示体自体が高温になることを防止したり、筐体が高温になることを防止する方法が考えられた。
【０００７】
ただ、出願人らにおいて、こうした液晶表示部を表面に備える筐体に、温度センサーを備えた冷却ファンを内蔵させたタイプの表示装置の試作品を製造し、直射日光が当たる屋外環境を想定した状況で耐久実験を行ったところ、これら試作品では液晶表示装置における上記ａ〜ｄの問題点が解決できず、その実用化に苦慮したところである。
【先行技術文献】
【特許文献】
【０００８】
【特許文献１】特開２００３−２８０５３４号公報
【特許文献２】特開平０７−１６８１６０号公報
【発明の概要】
【発明が解決しようとする課題】
【０００９】
本発明は、上述した背景に鑑みてなされたものであり、一般に液晶表示装置が用いられていた室内光しか当たらない屋内環境ばかりでなく、直射日光が当たる屋内の窓際や屋外で使用されることを想定し、そうした過酷な高温環境においても安心して使用することを可能とする液晶表示部を備えた表示装置の提供を図ることを目的とするものである。
【課題を解決するための手段】
【００１０】
上記目的を解決するため、本発明の請求項１に係るものは、映像または画像を表面に表示可能とする液晶表示部を面状からなる筐体の一面上に配設し、該一面を視認者に指向させる状態として屋内または屋外に設置可能とされる表示体と、上記表示体の筐体には液晶表示部を冷却可能とする冷却ファンと、を具備してなる表示装置にあって、上記表示体の筐体には、液晶表示部を配設する筐体内の温度を計測する温度センサーと、表示体に照射される光の照度を計測するフォトセンサーとが備えられ、上記表示体の筐体内には、冷却ファンのＯＮ・ＯＦＦ駆動を制御する駆動制御部、液晶表示部を駆動させ、該液晶表示部に任意の映像または画像を表示可能とする駆動回路と、該駆動回路をＯＮ・ＯＦＦ可能とし、液晶表示部の作動をＯＮ・ＯＦＦ可能とする点灯制御部と、を具備するコントローラが備えられ、さらに該コントローラには、フォトセンサーが計測する照度を入力し、該入力される照度が一定レベル以上か否かを検出し、一定レベル以上の場合に上記冷却ファンの駆動制御部に対して冷却ファンをＯＮとするための信号を出力する照度検出部と、温度センサーが計測する温度を入力し、該入力される温度が一定レベル以上か否かを検出し、一定レベル以上の場合に上記冷却ファンの駆動制御部に対して冷却ファンをＯＮとするための信号を出力する温度検出部と、を備えることを特徴とする。
【００１１】
また、本発明の請求項２に係るものは、複数個のＬＥＤ発光素子を面状に配列し、各ＬＥＤ発光素子を任意に点灯させ、表面に情報を表示可能とするＬＥＤ表示部と、映像または画像を表面に表示可能とする液晶表示部と、を面状からなる筐体の一面上に併設し、該一面を視認者に指向させる状態として屋内または屋外に設置可能とされる表示体と、上記表示体の筐体には、ＬＥＤ表示部および液晶表示部を冷却可能とする冷却ファンと、を具備してなる表示装置にあって、上記表示体の筐体には、ＬＥＤ表示部および液晶表示部を併設する函体内の温度を計測する温度センサーと、表示体に照射される光の照度を計測するフォトセンサーとが備えられ、上記表示体の筐体内には、冷却ファンのＯＮ・ＯＦＦ駆動を制御する駆動制御部、ＬＥＤ表示部および液晶表示部を駆動させ、ＬＥＤ表示部の各ＬＥＤ発光素子を任意に点灯させて表面に任意の情報を表示可能とし、あるいは液晶表示部に任意の映像または画像を表示可能とする駆動回路と、該駆動回路をＯＮ・ＯＦＦ可能とし、ＬＥＤ表示部あるいは液晶表示部の作動をＯＮ・ＯＦＦ可能とする点灯制御部と、を具備するコントローラが備えられ、さらに該コントローラには、フォトセンサーが計測する照度を入力し、該入力される照度が一定レベル以上か否かを検出し、一定レベル以上の場合に上記冷却ファンの駆動制御部に対して冷却ファンをＯＮとするための信号を出力する照度検出部と、温度センサーが計測する温度を入力し、該入力される温度が一定レベル以上か否かを検出し、一定レベル以上の場合に上記冷却ファンの駆動制御部に対して冷却ファンをＯＮとするための信号を出力する温度検出部と、を備えることを特徴とする。
【００１２】
請求項３に係るものは、上記コントローラの温度検出部が、温度センサーが計測する温度を入力し、該入力される温度が一定レベル以下か否かを検出し、一定レベル以下の場合に上記冷却ファンの駆動制御部に対して冷却ファンをＯＦＦとするための信号を出力することとしてなる請求項１または請求項２のいずれかに記載の表示装置としている。
【００１３】
請求項４に係るものは、上記コントローラの温度検出部が、温度センサーが計測する温度を入力し、該入力される温度が一定レベル以上か否かを検出し、一定レベル以上の場合に上記点灯制御部に対して駆動回路をＯＦＦとし、液晶表示部の作動をＯＦＦとするための信号を出力することとしてなる請求項１に記載の表示装置としている。
【００１４】
請求項５に係るものは、上記コントローラの温度検出部が、温度センサーが計測する温度を入力し、該入力される温度が一定レベル以上か否かを検出し、一定レベル以上の場合に上記点灯制御部に対して駆動回路をＯＦＦとし、ＬＥＤ表示部および液晶表示部の作動をＯＦＦとするための信号を出力することとしてなる請求項２に記載の表示装置としている。
【００１５】
請求項６に係るものは、上記コントローラにおける冷却ファンの駆動制御部が、上記照度検出部から冷却ファンをＯＮとするための信号を入力し、かつ入力後、タイマーが計測する一定時間経過内においては冷却ファンをＯＮとし、上記照度検出部から冷却ファンをＯＮとするための信号を入力し、かつ入力後、タイマーが計測する一定時間経過後においては冷却ファンをＯＦＦとする制御を実行することとしてなる請求項１ないし請求項５のいずれかに記載の表示装置としている。
【００１６】
請求項７に係るものは、上記照度検出部において、フォトセンサーから入力し、該入力される照度が一定レベル以上か否かを検出し、一定レベル以上の場合に上記冷却ファンの駆動制御部に対して冷却ファンをＯＮとするための信号を出力する場合における一定レベルの値を、７０，０００ｌｘ以上のレベルの値とした請求項１または請求項２のいずれかに記載の表示装置としている。
【００１７】
請求項８に係るものは、上記温度検出部において、温度センサーから入力し、該入力される温度が一定レベル以上か否かを検出し、一定レベル以上の場合に上記冷却ファンの駆動制御部に対して冷却ファンをＯＮとするための信号を出力する場合における一定レベルの値を、５０℃以下から室温の範囲における任意の値とした請求項１または請求項２のいずれかに記載の表示装置としている。
【００１８】
請求項９に係るものは、上記温度検出部において、温度センサーから入力し、該入力される温度が一定レベル以下か否かを検出し、一定レベル以下の場合に上記冷却ファンの駆動制御部に対して冷却ファンをＯＦＦとするための信号を出力する場合における一定レベルの値を、４０℃以下から室温の範囲における任意の値とした請求項３に記載の表示装置としている。
【００１９】
請求項１０に係るものは、上記温度検出部において、温度センサーから入力し、該入力される温度が一定レベル以上か否かを検出し、一定レベル以上の場合に上記点灯制御部に対して駆動回路をＯＦＦとし、液晶表示部の作動をＯＦＦとするための信号を出力する場合における一定レベルの値を、７０℃以下から室温の範囲における任意の値とした請求項４に記載の表示装置としている。
【００２０】
請求項１１に係るものは、上記温度検出部において、温度センサーから入力し、該入力される温度が一定レベル以上か否かを検出し、一定レベル以上の場合に上記点灯制御部に対して駆動回路をＯＦＦとし、ＬＥＤ表示部および液晶表示部の作動をＯＦＦとするための信号を出力する場合における一定レベルの値を、７０℃以下から室温の範囲における任意の値とした請求項５に記載の表示装置としている。
【発明の効果】
【００２１】
本発明によれば、一般に液晶表示装置が用いられていた室内光しか当たらない屋内環境ばかりでなく、直射日光が当たる屋内の窓際や屋外で使用することを想定し、そうした過酷な高温環境においても、表示体に照射される光をフォトセンサーが計測し、計測される光の照度が一定レベル以上なった場合に、冷却ファンが駆動されることとなる。この結果、液晶表示部を備えた表示体に対して直射日光等が照射され、筐体やその内部の温度上昇が温度センサーにより検知されるよりも前の段階において、冷却ファンがいち早く駆動されることとなる。このため、その分液晶表示部や筐体内部の電子部品を含め、表示装置全体の温度上昇が防止できることとなる。よって、安心して使用することを可能とする液晶表示部を備えた表示装置の提供を図ることができるという効果がある。
【図面の簡単な説明】
【００２２】
【図１】本発明の実施形態に係る表示装置の全体を示す斜視図である。
【図２】表示装置の正面図である。
【図３】表示装置の筐体内部における空気の流れを示す正面図等である。
【図４】図２のＩＶ−ＩＶ線に沿う断面図である。
【図５】表示装置の制御系統を示すブロック図である。
【図６】点灯制御部において駆動回路をＯＮまたはＯＦＦとする場合の制御系統を示すフローチャートである。
【図７】駆動制御部における冷却ファンへの駆動信号をＯＮまたはＯＦＦとする場合の制御系統を示すフローチャートである。
【図８】太陽光が直射されない状態での表示装置おいて、表示装置の温度変化と、それに対応した冷却ファンの駆動状態の時間変化を示す図である。
【図９】太陽光が直射される状態での表示装置おいて、仮に照度検出部が機能しなかった場合の表示装置の温度変化と、それに対応した冷却ファンの駆動状態の時間変化を示す図である。
【図１０】太陽光が直射される状態での表示装置おいて、本発明における照度検出部が機能した場合の表示装置の温度変化と、それに対応した冷却ファンの駆動状態の時間変化を示す図である。
【発明を実施するための形態】
【００２３】
図１ないし図４は、本発明の実施形態に係る表示装置である。この表示装置１は、例えば直射日光が当たる店舗の屋外はもちろん、屋内の窓際等において設置して使用することが可能とされ、図１に示すようにキャスター２を下面に備えた基台３上にポール４を立設し、その上端部に取着するようにして形成される。すなわち、表示装置１は、基台３の下面のキャスター２により、路面や床面上を移動可能とされ、例えば店先や道路に対して設置することが可能とされる。
【００２４】
表示装置１は、正面から観て縦長の長方形状とされ、全体扁平からなる面状のものとされる。すなわち、表示装置１は、図４に示すように全体扁平の面状からなる金属製の本体部５Ｂ（筐体）と、本体部５Ｂの前面部に、透明な合成樹脂材からなる同じく面状からなる平板状のボード材５Ａ（筐体）を取着して形成される。表示装置１は、平板状のボード材５Ａ側を表面として、該表面（一面）を視認者に指向させる状態とし、例えば屋内または屋外に設置可能とされる。表示装置１は、この前面側のボード材５Ａ上を視認者に向け情報を表示する表示体としてなり、前面側から観て、上方に液晶表示部６を、下方にＬＥＤ表示部７を併設する状態で配設している。
【００２５】
液晶表示部６は、図２に示すように正面から観て長方形状とされ、映像または画像を表面に表示可能としている。すなわち、液晶表示部６は、図４に示すように本体部５Ｂとボード材５Ａからなる筐体の内部に収容されるＬＣＤ基板６Ａにて構成され、該基板６Ａのボード材５Ａ側に、視認者に向けた映像または画像を表示可能とするものである。一方、ＬＥＤ表示部７は、液晶表示部６と同様に正面から観て長方形状とされ、複数個のＬＥＤ発光素子をマトリッス状に配列し、各ＬＥＤ発光素子を任意に点灯させることで表面に情報を表示可能としている。すなわち、ＬＥＤ表示部７も、図４に示すように本体部５Ａとボード材５Ｂからなる筐体の内部に収容されるＬＥＤ基板７Ａにて構成され、各ＬＥＤ発光素子を任意に点灯させることで、該基板７Ａのボード材５Ａ側において、視認者に向けた情報を表示可能とするものである。よって視認者は、透明なボード材５Ａを透過する液晶表示部６上の映像または画像に係る情報、あるいはＬＥＤ表示部７上に表示される情報、のそれぞれ表示装置１の表面側で視認することが可能となる。
【００２６】
表示装置１は、図３（Ｂ）の側面図に示すように、接続コード８の端子８Ａを外部のＡＣ電源（不図示）に接続して使用可能とされ、これにより図４に示す内部の電源９に外部電源の電力を入力させるようにしている。なお、図３（Ｂ）において１０はアースである。すなわち、この表示装置１の全体は、液晶表示部６、ＬＥＤ表示部７、後述する冷却ファンを含め、電源９から供給する電力にて駆動可能とされる。
【００２７】
表示装置１における本体部５Ｂ内において、ＬＣＤ基板６Ａはブラケット１１を介して本体部５Ｂに、ＬＥＤ基板７Ａブラケット１２を介して本体部５Ｂに支持される（図４参照）。また電源９は本体部５Ｂに直接支持させてなり、さらに電源９における本体部５Ｂ内には、表示装置１の全体の駆動を制御する回路基板１３が支持される。
【００２８】
ＬＥＤ基板７Ａを支持するブラケット１２には、さらに受光装置１４の基板１４Ａが支持される。受光装置１４は、図１あるいは図２に示すように正面から観てボード材５Ａの下方に配設され、液晶表示部６、ＬＥＤ表示部７と同様に透明材からなるボード材５Ａを介してその表面を視認者（各表示部６、７を観る視認者）に向けて指向可能とされる。この受光装置１４には、図２の拡大部に示すように、受光器１５Ａ、１５Ｂと、フォトＩＣ１６とを備えてなる。受光部１５Ａ、１５Ｂは、表示装置１の全体の駆動を操作（主電源のＯＮ・ＯＦＦ，情報表示内容の選択あるいは入力操作等）するためのリモコン（不図示）から照射される光信号を受信するためのものである。またフォトセンサーとしてのフォトＩＣ１６は、表示装置１の表面側（表示体としてのボード材５Ａの表面側）に照射される光（日射光、室内光等）を受光するためのものとされる。すなわち、フォトＩＣ１６は表示装置１の表面側に照射される光の照度を計測し、計測される照度は上記回路基板１３に対し入力させるようにしている。
【００２９】
表示装置１における本体５Ｂ内には、図４に示すように筺体としての本体部５Ｂ内の温度を計測する温度センサー１７が備えられる。この温度センサー１７はサーミスターセンサーにて構成され、温度センサー１７が計測する本体部５Ｂ内の温度も、フォトＩＣ１６が計測する光の照度と同様に、上記回路基板１３に対し入力させるようにしている。
【００３０】
筺体としての本体部５Ｂには、図３（Ｃ）の底面図に示すように、その底部に外部と本体部５Ｂ内とを連通する吸気口１８が、図３（Ｂ）の側面図に示すように、その側面に外部と本体部５Ｂ内とを連通する排気口１９が、それぞれ形成される。本体部５Ｂ内の上方には、図４あるいは図３（Ａ）の正面図の内部拡大部分に示すように冷却ファン２０が配設される。冷却ファン２０には排気口１９へと連なる排気ダクト２１が接続され、表示装置１の本体部５Ｂ内においては、冷却ファン２０を回転駆動させることで底面の吸気口１８から本体部５Ｂの外方の空気（外気）を吸気可能にしている。こうして筺体としての本体部５Ｂ内に吸気される空気は、図３（Ａ）の矢印で示すように本体部５Ｂ内を上昇移動し、吸気源としての冷却ファン２０、排気ダクト２１を介して、排気口１９から本体部５Ｂ外に排気可能とされる。
【００３１】
こうして冷却ファン２０のＯＮ駆動に基づき、吸気口１８から排気口１９へと本体部５Ｂ内に空気を循環させることが可能となる。これにより本体部５Ｂ内に配設される液晶表示部６（ＬＣＤ基板６Ａ）、ＬＥＤ表示部７（ＬＥＤ基板７Ａ）、電源９、回路基板１３を含む各電子部品が循環される空気によって冷却されることとなる。
【００３２】
冷却ファン２０は電源９から供給される電力によって駆動可能とされ、冷却ファン２０のＯＮ・ＯＦＦ駆動は、回路基板１３内に備えられるコントローラ２２の駆動制御部２３にてコントロール制御される（図５参照）。
【００３３】
次に、このようにして構成される表示装置１の駆動プロセスを図５ないし図１０に基づいて説明する。先ず液晶表示部６とＬＥＤ表示部７のそれぞれは、図５に示すように駆動回路２４から入力される信号に基づいて駆動可能とされ、駆動回路２４は液晶表示部６にて表示可能とする映像または画像のデータ信号を液晶表示部６に出力可能とし、またＬＥＤ表示部７において各ＬＥＤ発光表示を任意に点灯させて表示する情報のデータ信号をＬＥＤ表示部７に出力可能としている。
【００３４】
これらのデータ信号は、図５に示すように予め入力装置２５から入力してメモリ２６に記憶させ、液晶表示部６あるいはＬＥＤ表示部７の作動時において、駆動回路２４からメモリ２６に蓄積された対応するデータ信号を液晶表示部６、あるいはＬＥＤ表示部７に出力させるようにしている。また、データ信号は予めＣＤ、ＤＶＤ等の記憶媒体に記憶させるようにしてもよく、液晶表示部６あるいはＬＥＤ表示部７の作動時においてレコーダ２７を駆動させ、記憶媒体に記憶された対応するデータ信号を、駆動回路２４から液晶表示部６、あるいはＬＥＤ表示部７に出力させることとしてもよい。
【００３５】
こうした液晶表示部６、ＬＥＤ表示部の点灯作動（ＯＮ・ＯＦＦ駆動作動等）、冷却ファン２０のＯＮ・ＯＦＦ駆動は、上記回路基板１３に内蔵され、図５に示すコントローラ２２により制御可能とされる。すなわち、コントローラ２２には、不図示の電源スイッチの操作（ＯＮ・ＯＦＦ操作）に基づき、駆動回路２４に対して液晶表示部６、ＬＥＤ表示部７の点灯作動（ＯＮ・ＯＦＦ作動）を行ったり、メモリ２６やレコーダ２７から駆動回路２４、液晶表示部６、ＬＥＤ表示部７へのデータ信号の出力を制御する点灯制御部２８が備えられる。またコントローラ２２には、本体部５Ｂ内の温度検出部２９が出力する信号、あるいは照度検出部３０が出力する信号に基づき、冷却ファン２０のＯＮ・ＯＦＦ駆動を制御する駆動制御部２３が備えられる。
【００３６】
フォトＩＣが計測する表示装置１の表面側に照射される光の照度は、コントローラ２２内のＡ／Ｄ変換器３１においてデジタル変換され、温度検出部３０に入力される。同じく温度センサー１７が計測する本体部５Ｂ内の温度は、コントローラ２２内のＡ／Ｄ変換器３１においてデジタル変換され、温度検出部２９に入力される。
【００３７】
照度検出部３０においては、Ａ／Ｄ変換器３１を介し、フォトＩＣ１６側から入力される照度が一定レベル以上か否かを検出し、該値が一定レベル以上の場合に上記冷却ファン２０の駆動制御部２３に対して冷却ファン２０の駆動をＯＮとするための信号を出力可能にしている。
【００３８】
また温度検出部２９においては、Ａ／Ｄ変換器３１を介し、温度センサー１７側から入力される温度が一定レベル以上か否かを検出し、一定レベル以上の場合に上記冷却ファン２０の駆動制御部２３に対して冷却ファン２０の駆動をＯＮとするための信号を出力可能にしている。
【００３９】
さらに温度検出部２９においては、Ａ／Ｄ変換器３１を介して温度センサー１７側から入力される温度が、一定レベル以下か否かを検出し、一定レベル以下の場合に上記冷却ファン２０の駆動制御部２３に対して冷却ファン２０の駆動をＯＦＦとするための信号を出力可能とし、また入力される温度が一定レベル以上か否かを検出し、一定レベル以上の場合に上記点灯制御部２８に対して駆動回路２４をＯＦＦとし、液晶表示部６の作動をＯＦＦとするための信号、並びにＬＥＤ表示部７の作動をＯＦＦとするための信号を出力可能としている。
【００４０】
コントローラ２２内における冷却ファン２０の駆動制御部２３においては、上記照度検出部３０から冷却ファン２０をＯＮとするための信号を入力した場合において、入力後、コントローラ２２内に備えられるタイマー３２（計時回路）が計測する一定時間経過内においては冷却ファン２０の駆動をＯＮとし、上記照度検出部３０から冷却ファン２０をＯＮとするための信号を入力し、かつ入力後、タイマー３２が計測する一定時間経過後においては冷却ファン２０をＯＦＦとする制御を実行するようにしている。実施形態では、この一定時間を６０秒に設定している。
【００４１】
ここで照度検出部３０がフォトＩＣ１６側から入力し、該入力される照度が一定レベル以上か否かを検出し、一定レベル以上の場合に上記冷却ファン２０の駆動制御部２３に対して冷却ファン２０をＯＮとするための信号を出力する場合における一定レベルの値は、７０，０００ｌｘ以上のレベルの値であることが好ましく、本実施形態では７０，０００ｌｘに設定している。また温度検出部２９が温度センサー１７側から入力し、該入力される温度が一定レベル以上か否かを検出し、一定レベル以上の場合に上記冷却ファン２０の駆動制御部２３に対して冷却ファン２０をＯＮとするための信号を出力する場合における一定レベルの値は、５０℃以下から室温の範囲における任意の値とすることが好ましく、本実施形態では５０℃に設定している。
【００４２】
さらに温度検出部２９が、温度センサー１７側から入力し、該入力される温度が一定レベル以上か否かを検出し、一定レベル以上の場合に上記点灯制御部２８に対して駆動回路２４をＯＦＦとし、ＬＥＤ表示部６あるいは液晶表示部７の作動をＯＦＦとするための信号を出力する場合における一定レベルの値は、７０℃以下から室温の範囲における任意の値とすることが好ましく、実施形態では７０℃に設定している。加えて、温度センサー１７側から入力し、該入力される温度が一定レベル以下か否かを検出し、一定レベル以下の場合に上記冷却ファン２０の駆動制御部２３に対して冷却ファン２０をＯＦＦとするための信号を出力する場合における一定レベルの値は、４０℃以下から室温の範囲における任意の値とすることが好ましく、本実施形態では４０℃に設定している。
【００４３】
こうして、
ａ．駆動制御部２３において設定され、タイマー３２（計時回路）が計測する一定時間（６０秒）の値、
ｂ．照度検出部３０において設定され、冷却ファン２０の駆動制御部２３に対して冷却ファン２０をＯＮとするための信号を出力する場合における一定レベルの値（７０，０００ｌｘ）、
ｃ．温度検出部２９において設定され、冷却ファン２０の駆動制御部２３に対して冷却ファン２０をＯＮとするための信号を出力する場合における一定レベルの値（５０℃）、
ｄ．温度検出部２９において設定され、点灯制御部２８に対して駆動回路２４をＯＦＦとし、ＬＥＤ表示部７あるいは液晶表示部６の作動をＯＦＦとするための信号を出力する場合における一定レベルの値（７０℃）、
ｅ．温度検出部２９において設定され、冷却ファン２０の駆動制御部２３に対して冷却ファン２０をＯＦＦとするための信号を出力する場合における一定レベルの値（４０℃）、
をそれぞれ上記のような数値（ａ〜ｅ）あるいは上記のような数値範囲としたのは、本願の発明者らが本発明に係る表示装置１の試作品を製造し、試行錯誤を繰り返した結果、表示装置１が安全に動作する状態を見出し、導いたところである。すなわち、本願の発明者らは、太陽光等照射される日中時の液晶表示部６等にとって最も過酷な環境を想定し、人工光を表示装置１の試作品に照射して加熱し、温度を計測する実験を行った結果、先ず液晶表示部６を構成するＬＣＤ基板６Ａ等が安全に動作し、液晶等にダメージが生じない温度の上限は、図８に示すように７０℃以下から通常の室温の範囲（例えば８℃程度以上）であることを見出した。また同様の実験環境で、ＬＥＤ表示部７を構成するＬＥＤ基板７Ａが安全に動作し、ＬＥＤ基板の回路等にダメージが生じない温度の上限は図８に示すように８５℃以下から通常の室温の範囲（例えば８℃程度以上）であることを見出した。
【００４４】
さらに、本願の発明者らは、製造された表示装置１の試作品について、図８に示すように太陽光の直射がない場合の環境を想定し、表示装置１の試作品の本体部５Ｂ内に設置される温度センサー１７の計測値を計測するとともに、本体部５Ｂ内のＬＣＤ基板６Ａの近部にも温度センサーを設置して液晶周囲温度も計測し、液晶表示部６とＬＥＤ表示部７が安全に駆動する状態を見出す実験（冷却ファン２０の駆動により本体部５Ｂ内の冷却状態の時間推移の計測：図８参照）、図９に示すように太陽光の直射がある場合を想定し、表示装置１の試作品の本体部５Ｂ内に設置される温度センサー１７の計測値を計測するとともに、本体部５Ｂ内のＬＣＤ基板６Ａの近部にも温度センサーを設置して液晶周囲温度も計測し、液晶表示部６とＬＥＤ表示部７が安全に駆動する状態を見出す実験（冷却ファン２０の駆動により本体部５Ｂ内の冷却状態の時間推移の計測：図９参照）をそれぞれ行った。その際、図９に示す実験においては、従来の場合のように、コントローラ２２内の照度検出部３０をわざと機能させないこととし、冷却ファン２０をＯＮとするための信号を駆動制御部２３に出力させない実験についても実施した。
【００４５】
その結果、図８の実験結果が示すように、表示装置１に対する太陽光の直射がない場合を想定し、下記ｃ，ｅのように温度検出部２９を設定した場合、
ｃ．温度検出部２９において設定されるが冷却ファン２０の駆動制御部２３に対して冷却ファン２０をＯＮとするための信号を出力する場合における一定レベルの値（５０℃）、
ｅ．温度検出部２９において設定される冷却ファン２０の駆動制御部２３に対して冷却ファン２０をＯＦＦとするための信号を出力する場合における一定レベルの値（４０℃）、
液晶表示部６を構成するＬＣＤ基板６Ａが安全に動作し、液晶等にダメージが生じない温度の上限（７０℃以下）を常時保持できることがＬＣＤ基板６Ａの近部に設置した温度センサーの計測値によって確認できた。すなわち、図８の実験結果は、温度検出部２９が温度センサー１７側から入力し、該入力される温度が一定レベル（５０℃）以上か否かを検出し、一定レベル（５０℃）以上の場合に上記冷却ファン２０の駆動制御部２３に対して冷却ファン２０をＯＮとするための信号を出力するとともに、温度検出部２９が温度センサー１７側から入力し、該入力される温度が一定レベル（４０℃）以下か否かを検出し、一定レベル（４０℃）以下の場合に上記冷却ファン２０の駆動制御部２３に対して冷却ファン２０をＯＦＦとするための信号を出力し、本体部５Ｂ内を冷却ファン２０によって冷却する構成に係るものであるが、実験結果からＬＣＤ基板６Ａの近部に設置した温度センサーの計測値（液晶周囲温度）は、温度センサー１７の温度検出値の時間推移よりも常時低い値を示すことが確認され、また温度検出部２９が温度センサー１７側から入力する温度の値に基づいて適格に冷却ファン２０のＯＮ・ＯＦＦすることが確認され、筐体としての本体部５Ｂ、ボード材５Ａの内部温度を安定状態に制御できることが確認された。
【００４６】
一方、図９の実験結果が示すように、表示装置１に対する太陽光の直射がある場合を想定し、下記ｃ，ｅのように温度検出部２９を設定した場合、
ｃ．温度検出部２９において設定され、冷却ファン２０の駆動制御部２３に対して冷却ファン２０をＯＮとするための信号を出力する場合における一定レベルの値（５０℃）、
ｅ．温度検出部２９において設定され、冷却ファン２０の駆動制御部２３に対して冷却ファン２０をＯＦＦとするための信号を出力する場合における一定レベルの値（４０℃）、
液晶表示部６を構成するＬＣＤ基板６Ａが安全に動作し、液晶等にダメージが生じない温度の上限（７０℃以下）を越える領域（図９の破線で囲む液晶動作温度オーバー、と表記した領域）の存在がＬＣＤ基板６Ａの近部に設置した温度センサーの計測値によって確認できた。すなわち、図９の実験結果は、温度検出部２９が温度センサー１７側から入力し、該入力される温度が一定レベル（５０℃）以上か否かを検出し、一定レベル（５０℃）以上の場合に上記冷却ファン２０の駆動制御部２３に対して冷却ファン２０をＯＮとするための信号を出力するとともに、温度検出部２９が温度センサー１７側から入力し、該入力される温度が一定レベル（４０℃）以下か否かを検出し、一定レベル（４０℃）以下の場合に上記冷却ファン２０の駆動制御部２３に対して冷却ファン２０をＯＦＦとするための信号を出力し、本体部５Ｂ内を冷却ファン２０によって冷却する構成に係るものであるが、ここで本発明の上記実施形態に係るコントローラ２２内の照度検出部３０についてはわざと機能させないこととし、冷却ファン２０をＯＮとするための信号を駆動制御部２３に出力させないこととした。すなわち、図９の実験結果から、温度検出部２９が温度センサー１７側から入力し、該入力される温度が一定レベル（５０℃）以上か否かを検出し、一定レベル（５０℃）以上の場合に上記冷却ファン２０の駆動制御部２３に対して冷却ファン２０をＯＮとするための信号を出力するとともに、温度検出部２９が温度センサー１７側から入力し、該入力される温度が一定レベル（４０℃）以下か否かを検出し、一定レベル（４０℃）以下の場合に上記冷却ファン２０の駆動制御部２３に対して冷却ファン２０をＯＦＦとするための信号を出力し、本体部５Ｂ内を冷却ファン２０によって冷却する構成の制御では不十分であることが判明した。
【００４７】
ここで本願の発明者らは、図９の実験結果から、
ア．ＬＣＤ基板６Ａの近部に設置した温度センサーの計測値（液晶周囲温度）が、温度センサー１７の温度検出値よりも常時高い値を示す点
イ．ＬＣＤ基板６Ａが安全に動作し、液晶等にダメージが生じない温度の上限（７０℃以下）を越える領域（図９の破線で囲む液晶動作温度オーバー、と表記した領域）が温度検出部２９が温度センサー１７側から入力する温度の値に基づいて冷却ファン２０の駆動がＯＮされる前に存在する点
に着目し、本実施形態に係るコントローラ２２内の照度検出部３０の一連の制御プロセスを発明するに至った次第である。すなわち、太陽光が表示装置１に照射されることを想定した図９の実験結果から、太陽光が照射される環境においては、温度検出部２９が温度センサー１７側から入力し、該入力される温度が一定レベル（５０℃）以上の場合に、冷却ファン２０の駆動制御部２３に対して冷却ファン２０をＯＮとするための信号を出力する制御では、太陽光照射による急激な本体５Ｂな昇温に対応できないこととなり、本体部５Ｂ内を冷却に遅れが生じる結論を導いた次第である。そこで、表示装置１に太陽光等の光の照射状態を検知する上記実施形態に係るフォトＩＣ１６を備えることとし、照度検出部３０がフォトＩＣ１６側から入力し、該入力される照度が一定レベル以上か否かを検出し、一定レベル以上の場合に上記冷却ファン２０の駆動制御部２３に対して冷却ファン２０をＯＮとする制御を実行することにより、ＬＣＤ基板６Ａが安全に動作し、液晶等にダメージが生じない温度の上限（７０℃以下）を越えることのない図１０に示す制御プロセスを発明するに至った次第である。
【００４８】
すなわち、図１０に示す実験結果は、表示装置１に太陽光の直射がある場合を想定し、下記ｃ，ｄ，ｅのように温度検出部２９を設定した。
ｃ．温度検出部２９において設定され、冷却ファン２０の駆動制御部２３に対して冷却ファン２０をＯＮとするための信号を出力する場合における一定レベルの値（５０℃）、
ｄ．温度検出部２９において設定され、点灯制御部２８に対して駆動回路２４をＯＦＦとし、ＬＥＤ表示部７あるいは液晶表示部６の作動をＯＦＦとするための信号を出力する場合における一定レベルの値（７０℃）、
ｅ．温度検出部２９において設定され、冷却ファン２０の駆動制御部２３に対して冷却ファン２０をＯＦＦとするための信号を出力する場合における一定レベルの値（４０℃）、
【００４９】
また、照度検出部３０と駆動制御部２３についても下記のように設定した。
ａ．駆動制御部２３において設定され、タイマー３２（計時回路）が計測する一定時間（６０秒）の値、
ｂ．照度検出部３０において設定され、冷却ファン２０の駆動制御部２３に対して冷却ファン２０をＯＮとするための信号を出力する場合における一定レベルの値（７０，０００ｌｘ）、
【００５０】
その結果、図１０に示す場合では、冷却ファン２０が図９に示すような液晶表示部６を構成するＬＣＤ基板６Ａが安全に動作し、液晶等にダメージが生じない温度の上限（７０℃以下）を越える領域（図９の破線で囲む液晶動作温度オーバー、と表記した領域）の前段階で、照度検出部３０が表示装置１に照射される照度レベル（７０，０００ｌｘ）の値をいち早く検出して駆動することとなり、その状態がＬＣＤ基板６Ａの近部に設置した温度センサーの計測値（液晶周囲温度の時間推移）によって確認できた。その後は、図９の場合と同様に、温度検出部２９が温度センサー１７側から入力し、該入力される温度が一定レベル（５０℃）以上か否かを検出し、一定レベル（５０℃）以上の場合に上記冷却ファン２０の駆動制御部２３に対して冷却ファン２０をＯＮとするための信号を出力し、本体部５Ｂ内を冷却ファン２０によって冷却する通常の温度検出部２９の制御の実行で対応できることが温度センサー１７の計測値（サーミスタセンサー周囲温度）により確認された。そのため、下記ｂに基づき、冷却ファン２０の駆動を実行される制御は、フォトＩＣ１６が最初の激しい太陽光の入射を計測する一定の立ち上がり時間の範囲で十分と考え、本願の発明者は、下記ａの駆動制御部２３の点を含めて、冷却ファン２０のＯＮ・ＯＦＦ制御を実行させることとした。
ａ．駆動制御部２３において設定され、タイマー３２（計時回路）が計測する一定時間（６０秒）の値、
ｂ．照度検出部３０において設定され、冷却ファン２０の駆動制御部２３に対して冷却ファン２０をＯＮとするための信号を出力する場合における一定レベルの値（７０，０００ｌｘ）、
【００５１】
この結果、図１０に示すように、照度検出部３０を含めたコントローラ２２の制御プロセスにより、冷却ファン２０は安定した状態で駆動し、太陽光が表示装置１に直射された後、一定の時間が経過するプロセスにおいて、ＬＣＤ基板６Ａの近部に設置した温度センサーの計測値（液晶周囲温度の時間推移）は、ＬＣＤ基板６Ａが安全に動作し、液晶等にダメージが生じない７０℃以下の温度状態を常時保持することが可能となった。
【００５２】
上記実施形態に係る表示装置１のコントローラ２２の制御プロセスについては、図６あるいは図７に示すフローチャートに基づき、それぞれ実行可能となる。
【００５３】
先ず、温度検出部２９において設定され、点灯制御部２８に対して駆動回路２４をＯＦＦとし、ＬＥＤ表示部７あるいは液晶表示部６の作動をＯＦＦとするためのプロセスを図６のフローチャートに基づいて説明する。先ず図６のステップＡにおいて、温度検出部２９で検出される温度が一定レベルの値（７０℃）以上か？を判別させ、判別結果がＹＥＳの場合、ステップＢで示すように点灯制御部２８において、駆動回路２４をＯＦＦとし、ＬＥＤ表示部７あるいは液晶表示部６の作動をＯＦＦとする制御を実行する。これに対し、図６のステップＡにおいて、温度検出部２９で検出される温度が一定レベルの値（７０℃）以上か否かを判別させ、判別結果がＮＯの場合、図６のステップＣで示すように点灯制御部２８が、駆動回路２４をＯＮ状態に保持し、ＬＥＤ表示部７あるいは液晶表示部６の作動をＯＮのままの状態にすることが可能となる。
【００５４】
次に、照度検出部３０の検出値、温度検出部の検出値に基づき、駆動制御部２３において冷却ファン２０の駆動をＯＮ・ＯＦＦするための制御プロセスを、図７のフローチャートに基づいて説明する。先ず図７のステップＡで照度検出部３０において、検出される照度が一定レベルの値（７０，０００ｌｘ）以上か否かを判別し、かつ一定レベルの値（７０，０００ｌｘ）以上の照度が検出された後６０秒を経過していないか？を判別する。ここでの判別結果がＹＥＳの場合、ステップＢで示すように駆動制御部２３における冷却ファン２０への駆動信号をＯＮとし、冷却ファン２０を駆動させる。
【００５５】
一方、ここでの判別結果がＮＯの場合、図７のステップＣにおいて温度検出部２９において検出される温度が一定レベルの値（５０℃）以上か？の判別を実行する。ここでの判別結果がＹＥＳの場合、ステップＤで示すように駆動制御部２３における冷却ファン２０への駆動信号をＯＮとし、冷却ファン２０を駆動させる。
【００５６】
一方、ここでの判別結果がＮＯの場合、図７のステップＥにおいて温度検出部２９において検出される温度が一定レベルの値（４０℃）以下か？の判別を実行する。ここでの判別結果がＮＯの場合、ステップＦで示すように駆動制御部２３における冷却ファン２０への駆動信号をＯＮのままとし、冷却ファン２０を継続して駆動させる。
【００５７】
一方、ここでの判別結果がＹＥＳの場合、図７のステップＧで示すように駆動制御部２３において、冷却ファン２０への駆動信号ＯＦＦとし、冷却ファン２０の駆動を停止させる。
【００５８】
こうした図６のＡ〜Ｃ，図７のＡ〜Ｇに示す制御フローを繰り返して実行することにより、例えば屋外や日の当たる窓際などに表示装置１を設置した場合において、表示装置１に急に激しい太陽光が照射されたり、急に日が陰ったりした場合においても対応することが可能となり、筐体としてのボード材５Ａや本体部５Ｂとその内部の電子部品、とりわけ熱に弱い液晶表示部６を適切に冷却し、その機能を保持することが可能となる。
【００５９】
上記実施形態では、表示装置１の表面のボード材５Ａの表面上に、表示体としての液晶表示部６とＬＥＤ表示部７を併設し、これらを駆動する駆動回路２４を上記実施形態に係るコントローラ２２の制御プロセスにより、駆動を制御している。しかし、本発明はこのように液晶表示部６とＬＥＤ表示部７を併設させるものに限定されるものではなく、液晶表示部のみを備える表示装置において上記実施形態に係るコントローラ２２の制御プロセスを採用させるようにしてもよい。
【産業上の利用可能性】
【００６０】
本願発明によれば、直射日光が当たる屋内の窓際や屋外においても、安心して使用することを可能とする液晶表示部を備えた表示装置の提供が可能となる。このため、直射日光が多く照射される屋外や屋内の窓際など、高温の環境においても、液晶表示部を備えた表示装置を設置できることとなる。これにより、こうした場所に設置した表示装置の液晶表示部において、例えば店舗の情報をより詳しく通行人等に知らせることができる。よって、例えば飲食店などにおいて「本日のお勧め商品」、「料理風景」、「食材の提供場所」などの情報を、液晶表示部で画像や映像により、リアルタイムで詳細に通行人等に提供でき、集客力の向上や売上の増大に繋げることが期待できる。
【符号の説明】
【００６１】
１：表示装置
２：キャスター
３：基台
４：ポール
５Ａ：本体部（筐体）
５Ｂ：ボード材（筐体）
６：液晶表示部
６Ａ：ＬＣＤ基板
７：ＬＥＤ表示部
７Ａ：ＬＥＤ基板
８：接続コード
８Ａ：端子
９：電源
１０：アース
１１，１２：ブラケット
１３：回路基板
１４：受光装置
１４Ａ：受光装置の基板
１５Ａ，１５Ｂ：受光部
１６：フォトＩＣ（フォトセンサー）
１７：温度センサー
１８：吸気口
１９：排気口
２０：冷却ファン
２１：排気ダクト
２２：コントローラ
２３：駆動制御部
２４：駆動回路
２５：入力装置
２６：メモリ
２７：レコーダ
２８：点灯制御部
２９：温度検出部
３０：照度検出部
３１：Ａ／Ｄ変換器
３２：タイマー
【図１】
2010282109.tif 000003
【図２】
2010282109.tif 000004
【図３】
2010282109.tif 000005
【図４】
2010282109.tif 000006
【図５】
2010282109.tif 000007
【図６】
2010282109.tif 000008
【図７】
2010282109.tif 000009
【図８】
2010282109.tif 000010
【図９】
2010282109.tif 000011
【図１０】
2010282109.tif 000012